(57)【要約】    【課題】  ささら桁や階段室を用いず、住宅を広く感じさせる階段を提供する。    【解決手段】  階段は、踏み面の寸法とほぼ等しい間隔で並べて立設されている複数の支持柱10と、各支持柱10にそれぞれ片持ち状態で固定され、かつ、上段側のものになるにしたがって支持柱10への固定位置が蹴上げの寸法とほぼ等しい高さずつ高くなっている複数の蹴込み板20と、隣り合う２つの蹴込み板20の間にそれぞれ設けられ、かつ、下段側の端部が下段側の蹴込み板20の上部に固定されているとともに、上段側の端部が上段側の蹴込み板20の下部に固定されている複数の踏み板30とを備える。    【選択図】  図１
2006132083.tif 000002
【特許請求の範囲】
【請求項１】
踏み面の寸法とほぼ等しい間隔で並べて立設されている複数の支持柱と、
各支持柱にそれぞれ片持ち状態で固定され、かつ、上段側のものになるにしたがって支持柱への固定位置が蹴上げの寸法とほぼ等しい高さずつ高くなっている複数の蹴込み板と、
隣り合う２つの蹴込み板の間にそれぞれ設けられ、かつ、下段側の端部が下段側の蹴込み板の上部に固定されているとともに、上段側の端部が上段側の蹴込み板の下部に固定されている複数の踏み板とを備えていることを特徴とする階段。
【請求項２】
各蹴込み板の高さは、蹴上げの寸法とほぼ等しく、
各支持柱には、蹴込み板の外寸とほぼ等しい内寸の貫通孔が設けられ、
各蹴込み板は、その一方の端部付近を貫通孔内に挿入された状態で、各支持柱に固定されていることを特徴とする請求項１記載の階段。
【発明の詳細な説明】
【技術分野】
【０００１】
本発明は、階段に関し、特に、木造住宅などの片持ち式の階段に関するものである。
【背景技術】
【０００２】
従来から、木造住宅などの階段としては、例えば、上下階間に架設したささら桁で踏み板の両端を支持したもの（特許文献１参照）や、階段室の両側の壁で踏み板の両端を支持したもの（特許文献２参照）などが一般的に知られている。
【特許文献１】特開平７−２０７８６５号公報
【特許文献２】特開平９−１２５６４１号公報
【発明の開示】
【発明が解決しようとする課題】
【０００３】
しかし、ささら桁や階段室は、住宅を狭く感じさせるものである。
（請求項１）
そこで、請求項１記載の発明は、ささら桁や階段室を用いず、住宅を広く感じさせる階段を提供することを目的とする。
（請求項２）
また、請求項２記載の発明は、請求項１記載の発明の目的に加え、十分な強度を有する階段を提供することを目的とする。
【課題を解決するための手段】
【０００４】
（請求項１）
請求項１記載の発明は、階段に係るものであって、踏み面の寸法とほぼ等しい間隔で並べて立設されている複数の支持柱10と、各支持柱10にそれぞれ片持ち状態で固定され、かつ、上段側のものになるにしたがって支持柱10への固定位置が蹴上げの寸法とほぼ等しい高さずつ高くなっている複数の蹴込み板20と、隣り合う２つの蹴込み板20の間にそれぞれ設けられ、かつ、下段側の端部が下段側の蹴込み板20の上部に固定されているとともに、上段側の端部が上段側の蹴込み板20の下部に固定されている複数の踏み板30とを備えていることを特徴とする。
【０００５】
つまり、本発明に係る階段は、階段を設けようとする位置に複数の支持柱10を踏み面の寸法とほぼ等しい間隔で並べて立設し、更に、上段側へ向かうにしたがって固定位置が蹴上げの寸法とほぼ等しい高さずつ高くなるように各支持柱10にそれぞれ蹴込み板20を片持ち状態で固定し、そして、隣り合う２つの蹴込み板20の間にそれぞれ踏み板30を架け渡すようにして固定したものである。
ここで、本発明に係る階段は、「複数の支持柱10」と「複数の蹴込み板20」と「複数の踏み板30」とを備える。
また、複数の支持柱10は、階段を設けようとする位置に並べて立設される。
【０００６】
また、複数の支持柱10は、踏み面の寸法とほぼ等しい間隔で並べて立設される。つまり、支持柱10の間隔は、踏み面の寸法とほぼ等しいものとされる。
また、支持柱10の間隔とは、隣り合う２つの支持柱10の中心間の距離をいう。つまり、隣り合う２つの支持柱10の芯間が、支持柱10の間隔である。
また、踏み面とは、踏み板30における足が乗る部分をいう。
また、踏み面の寸法とは、踏み板30における足が乗る部分の奥行きの寸法をいう。
例えば、踏み面の寸法が２１０ｍｍの階段であれば、支持柱10の間隔は、２１０ｍｍとされる。つまり、複数の支持柱10は、２１０ｍｍピッチで並べて立設される。
【０００７】
また、支持柱10は、例えば、住宅の土台100と梁120との間に立設することができる。
また、支持柱10と土台100や梁120とは、例えば、直に固定してもよく、また、床板や天井板などを介して間接的に固定してもよい。
また、支持柱10と土台100や梁120との固定は、例えば、支持柱10の上下の端部に設けたホゾと土台100の上面や梁120の下面に設けたホゾ穴との嵌合によって行ってもよく、また、土台100の上面や梁120の下面に支持柱10の端部がすっぽり嵌る切り欠きを設け、この切り欠きに支持柱10の上下の端部を嵌め込むことによって行ってもよく、また、Ｌ字型やＴ字型の金具とビスや釘などとを用いて行ってもよい。
【０００８】
また、各支持柱10にはそれぞれ蹴込み板20が固定される。
また、各蹴込み板20は、いずれも、各支持柱10に片持ち状態で固定される。つまり、各蹴込み板20は、いずれも、その左右のいずれか一方の端部付近のみを、各支持柱10に固定される。更に換言すれば、各蹴込み板20は、いずれも、各支持柱10の一側面から水平方向へ向けて突出するように、各支持柱10に固定される。
例えば、複数の支持柱10が一直線上に並べて立設される場合には、各蹴込み板20は、各支持柱10の同じ向きの側面から支持柱10が並ぶ方向と直交する方向へ向けて突出するように、各支持柱10にそれぞれ固定される。つまり、複数の支持柱10が南北方向に並べて立設される場合には、各蹴込み板20は、各支持柱10の西側の側面から西方向へ向けて突出するように、又は各支持柱10の東側の側面から東方向へ向けて突出するように、各支持柱10にそれぞれ固定される。
【０００９】
また、各蹴込み板20の支持柱10への固定位置は、上段側のものになるにしたがって、蹴上げの寸法とほぼ等しい高さずつ高くなる。つまり、隣り合う２つの蹴込み板20で支持柱10への固定位置を比較すると、上段側のものの方が、下段側のものよりも、蹴上げの寸法とほぼ等しい高さの分だけ高い。
また、蹴上げの寸法とは、階段の一段の高さをいう。つまり、隣り合う２つの踏み板30の上面の高さの差が、蹴上げの寸法である。
例えば、蹴上げの寸法が２１０ｍｍの階段であれば、蹴込み板20の支持柱10への固定位置は、上段側のものになるにしたがって、２１０ｍｍずつ高くなる。つまり、蹴上げの寸法が２１０ｍｍの階段であれば、隣り合う２つの蹴込み板20で支持柱10への固定位置を比較すると、上段側のものの方が、下段側のものよりも、２１０ｍｍ高い。
【００１０】
また、支持柱10と蹴込み板20との固定は、例えば、支持柱10に貫通孔11を設け、この貫通孔11に蹴込み板20の左右のいずれか一方の端部付近を差し込み、そこにビスや釘やダボなどを打ち込んだり接着剤を流し込むことによって行ってもよく、また、支持柱10に切り欠きを設け、この切り欠きに蹴込み板20の左右のいずれか一方の端部付近を嵌め込み、そこにビスや釘やダボなどを打ち込んだり接着剤を流し込むことによって行ってもよく、また、支持柱10及び蹴込み板20の双方に切り欠きを設け、これらの切り欠きを互いにかみ合わせ、そこにビスや釘やダボなどを打ち込んだり接着剤を流し込むことによって行ってもよい。
【００１１】
また、隣り合う２つの蹴込み板20の間にはそれぞれ踏み板30が固定される。
また、各踏み板30は、隣り合う２つの蹴込み板20の間を架け渡すようにして、両蹴込み板20に固定される。
また、各踏み板30は、下段側の端部が、下段側の蹴込み板20の上部に固定されるとともに、上段側の端部が、上段側の蹴込み板20の下部に固定される。
また、踏み板30の下段側の端部と下段側の蹴込み板20の上部との固定は、例えば、踏み板30の下段側の端部を下段側の蹴込み板20の上面に載置し、踏み板30の上面側から蹴込み板20へ向けてビスや釘やダボなどを打ち込んだり、踏み板30の下面と蹴込み板20の上面との間に接着剤を流し込むことによって行うことができる。
【００１２】
また、踏み板30の上段側の端部と上段側の蹴込み板20の下部との固定は、例えば、蹴込み板20の前面下部に左右方向に延びる横長溝21を形成するとともに、踏み板30の奥側の端部には奥方向へ向けて突出しかつ左右方向に延びかつ横長溝21にすっぽり嵌る筋状突部31を形成し、筋状突部31を横長溝21に嵌め込んだ後に、蹴込み板20の下面側から筋状突部31を上下に貫くようにしてビスや釘やダボなどを打ち込んだり、筋状突部31と横長溝21との間に接着剤を流し込むことによって行うことができる。
このように、本発明に係る階段では、各蹴込み板20は、片側のみで支持され、また、各踏み板30は、手前側及び奥側の両端が、隣り合う２つの蹴込み板20で支持される。このため、本発明に係る階段では、各踏み板30の左右の両端を支持するためのささら桁や階段室などが不要である。したがって、本発明に係る階段は、住宅を広く感じさせる。
【００１３】
また、本発明に係る階段では、踏み板30を支持柱10に片持ち支持させるのではなく、上下の高さが踏み板30よりもはるかに大きい蹴込み板20を支持柱10に片持ち支持させている。更に、本発明に係る階段では、踏み板30を手前側及び奥側の２つの蹴込み板20に支持させているため、１つの踏み板30にかかる荷重が、２つの蹴込み板20及び支持柱10に分散してかかる。このため、本発明に係る階段は、片持ち式であるものの、高い強度を発揮する。
（請求項２）
請求項２記載の発明は、請求項１記載の発明を限定したものであって、各蹴込み板20の高さは、蹴上げの寸法とほぼ等しく、各支持柱10には、蹴込み板20の外寸とほぼ等しい内寸の貫通孔11が設けられ、各蹴込み板20は、その一方の端部付近を貫通孔11内に挿入された状態で、各支持柱10に固定されていることを特徴とする。
【００１４】
このように、本発明に係る階段は、各蹴込み板20の一方の端部付近を各支持柱10に設けた貫通孔11に挿入した状態で、各蹴込み板20を各支持柱10に固定しているため、片持ち式であるものの、高い強度を発揮する。
【発明の効果】
【００１５】
（請求項１）
請求項１記載の発明によれば、各蹴込み板は、片側のみで支持され、また、各踏み板は、手前側及び奥側の両端が、隣り合う２つの蹴込み板で支持される。このため、各踏み板の左右の両端を支持するためのささら桁や階段室の壁などが不要であり、これにより、住宅を広く感じさせる階段を提供できる。
また、請求項１記載の発明によれば、踏み板ではなく、上下の高さが踏み板よりもはるかに大きい蹴込み板が支持柱に片持ち支持され、更には、１つの踏み板にかかる荷重が、２つの蹴込み板及び支持柱に分散してかかるため、片持ち式であるものの高い強度を発揮する階段を提供できる。
【００１６】
（請求項２）
請求項２記載の発明によれば、請求項１記載の発明の効果に加え、各蹴込み板の一方の端部付近が各支持柱に設けた貫通孔に挿入された状態で、各蹴込み板が各支持柱に固定されるため、片持ち式であるものの高い強度を発揮する階段を提供できる。
【発明を実施するための最良の形態】
【００１７】
図１ないし図９は、本発明の実施の形態を示すものである。
図１は、本実施の形態に係る階段の斜視図、図２は、本実施の形態に係る階段の要部側面図、図３は、支持柱10及び蹴込み板20の分解斜視図、図４は、支持柱10及び蹴込み板20を組んだ状態の斜視図、図５は、支持柱10、蹴込み板20及び踏み板30の分解斜視図、図６は、支持柱10、蹴込み板20及び踏み板30を組んだ状態の斜視図、図７は、蹴込み板20の下部と踏み板30の奥側の端部との固定方法を示す断面図、図８は、蹴込み板20の上部と踏み板30の手前側の端部との固定方法を示す断面図、図９は、蹴込み板20の上部と踏み板30の手前側の端部との位置決め方法を示す断面図である。
【００１８】
なお、本実施の形態において、「右」「左」「前」「手前」あるいは「奥」というときは、階段を下段側から見たときの「右」「左」「前」「手前」あるいは「奥」を意味するものとする。
（階段）
図１に示すように、本実施の形態に係る階段は、１３段の片持ち式の階段である。
また、図１に示すように、本実施の形態に係る階段は、踏み面の寸法とほぼ等しい間隔で並べて立設されている複数の支持柱10と、各支持柱10にそれぞれ片持ち状態で固定され、かつ、上段側のものになるにしたがって支持柱10への固定位置が蹴上げの寸法とほぼ等しい高さずつ高くなっている複数の蹴込み板20と、隣り合う２つの蹴込み板20の間にそれぞれ設けられ、かつ、下段側の端部が下段側の蹴込み板20の上部に固定されているとともに、上段側の端部が上段側の蹴込み板20の下部に固定されている複数の踏み板30とを備えたものである。
【００１９】
つまり、本実施の形態に係る階段は、階段を設けようとする位置に複数の支持柱10を踏み面の寸法とほぼ等しい間隔で並べて立設し、更に、上段側へ向かうにしたがって固定位置が蹴上げの寸法とほぼ等しい高さずつ高くなるように各支持柱10にそれぞれ蹴込み板20を片持ち状態で固定し、そして、隣り合う２つの蹴込み板20の間にそれぞれ踏み板30を架け渡すようにして固定したものである。
（支持柱10）
本実施の形態では、支持柱10として、１０５ｍｍ角の角材を用いている。
また、図１に示すように、本実施の形態では、土台100と梁120との間に、１２本の支持柱10が並べて立設されている。
【００２０】
なお、図１及び図２に示すように、土台100の上面の所定位置から上方へ向けて延びるようにして柱110が立設され、この柱110に梁120が支持されている。そして、土台100と梁120との間に、複数の支持柱10が立設されている。また、図２に示すように、土台100の上には、床下地材130と床仕上材140とが敷設されているとともに、梁120の上にも、床下地材130と床仕上材140とが敷設されている。
また、１２本の支持柱10は、踏み面の寸法とほぼ等しい間隔で並べて立設されている。
また、支持柱10の間隔とは、隣り合う２つの支持柱10の中心間の距離をいう。
また、踏み面とは、踏み板30における足が乗る部分をいう。
【００２１】
また、踏み面の寸法とは、踏み板30における足が乗る部分の奥行きの寸法をいう。
また、本実施の形態では、踏み面の寸法は、２１０ｍｍとしている。このため、支持柱10の間隔は、２１０ｍｍとされている。つまり、本実施の形態では、１２本の支持柱10が２１０ｍｍピッチで並べて立設されている。
また、本実施の形態では、各支持柱10は、その下端を土台100に直に固定されるとともに、その上端を梁120に直に固定されている。
また、図示しないが、本実施の形態では、各支持柱10と土台100や梁120との固定は、各支持柱10の上下の端部にそれぞれホゾを設けるとともに、土台100の上面及び梁120の下面における支持柱10を設けるべき位置にはそれぞれホゾ穴を設け、各ホゾを各ホゾ穴にそれぞれ嵌合させることによって行われている。
【００２２】
なお、各支持柱10と土台100や梁120との固定は、例えば、土台100の上面や梁120の下面に支持柱10の端部がすっぽり嵌る切り欠きを設け、この切り欠きに支持柱10の上下の端部を嵌め込むことによって行ってもよく、また、Ｌ字型やＴ字型の金具とビスや釘などとを用いて行ってもよい。
また、各支持柱10と土台100や梁120とは、例えば、床材や天井材などを介して間接的に固定してもよい。
（蹴込み板20）
本実施の形態では、蹴込み板20として、高さ２１０ｍｍ、幅１００５ｍｍ、厚さ４０ｍｍの板材を用いている。
【００２３】
また、図１及び図２に示すように、各支持柱10にはそれぞれ蹴込み板20が固定されている。
また、図１ないし図６に示すように、各蹴込み板20は、いずれも、各支持柱10に片持ち状態で固定されている。本実施の形態では、各蹴込み板20は、いずれも、右側の端部付近のみを、各支持柱10に固定されている。これにより、本実施の形態では、各蹴込み板20は、いずれも、各支持柱10の左側の側面から左水平方向へ向けて突出するように、各支持柱10に固定されている。また、本実施の形態では、各蹴込み板20の突出方向は、１２本の支持柱10が並ぶ方向と直交する方向となっている。
【００２４】
また、各蹴込み板20の支持柱10への固定位置は、上段側のものになるにしたがって、蹴上げの寸法とほぼ等しい高さずつ高くなっている。つまり、隣り合う２つの蹴込み板20で支持柱10への固定位置を比較すると、上段側のものの方が、下段側のものよりも、蹴上げの寸法とほぼ等しい高さの分だけ高い。
また、蹴上げの寸法とは、階段の一段の高さをいう。つまり、隣り合う２つの踏み板30の上面の高さの差が、蹴上げの寸法である。
また、本実施の形態では、蹴上げの寸法は、２１０ｍｍとしている。このため、本実施の形態では、各蹴込み板20の支持柱10への固定位置は、上段側のものになるにしたがって、２１０ｍｍずつ高くなるようにしている。
【００２５】
また、図３及び図４に示すように、本実施の形態では、支持柱10と蹴込み板20との固定は、支持柱10の所定位置にそれぞれ貫通孔11を設け、この貫通孔11に蹴込み板20の右側の端部付近を差し込み、そこにビス40を打ち込むことによって行われている。より具体的には、図３に示すように、各支持柱10の所定位置には、支持柱10の左側面から右側面まで貫通する貫通孔11が設けられている。また、貫通孔11が設けられている位置は、蹴込み板20が固定される位置である。したがって、貫通孔11の位置は、上段側の支持柱10になるにしたがって、蹴上げの寸法とほぼ等しい高さずつ（本実施の形態では２１０ｍｍずつ）高くなる。
【００２６】
また、本実施の形態では、貫通孔11の内寸は、蹴込み板20の外寸とほぼ等しい。具体的には、本実施の形態では、貫通孔11の高さは２１０ｍｍであり、また、貫通孔11の幅は４０ｍｍである。また、貫通孔11は支持柱10を貫通するものであるから、貫通孔11の長さは、支持柱10の一辺の幅と等しく、１０５ｍｍである。
また、図３及び図４に示すように、本実施の形態では、蹴込み板20は、右側の端部付近を、貫通孔11に挿入されている。更に、蹴込み板20の右側面の位置は、支持柱10の右側面の位置と一致している。そして、この状態で、図３及び図４に示すように、支持柱10の下段側の側面に、奥方向へ向けて６本のビス40が打ち込まれている。また、これら６本のビス40は、いずれも、蹴込み板20にまで達している。このようにして、本実施の形態では、蹴込み板20は支持柱10に固定されている。
【００２７】
なお、支持柱10と蹴込み板20との固定は、例えば、支持柱10に切り欠きを設け、この切り欠きに蹴込み板20の左右のいずれか一方の端部付近を嵌め込み、そこにビスや釘やダボなどを打ち込んだり接着剤を流し込むことによって行ってもよく、また、支持柱10及び蹴込み板20の双方に切り欠きを設け、これらの切り欠きを互いにかみ合わせ、そこにビスや釘やダボなどを打ち込んだり接着剤を流し込むことによって行ってもよい。
（踏み板30）
本実施の形態では、踏み板30として、幅９００ｍｍ、奥行き２２５ｍｍ、厚さ４０ｍｍの板材を用いている。
【００２８】
また、図５及び図６に示すように、隣り合う２つの蹴込み板20の間にはそれぞれ踏み板30が固定されている。
また、図５及び図６に示すように、各踏み板30は、隣り合う２つの蹴込み板20の間を架け渡すようにして、両蹴込み板20に固定されている。
また、図５及び図６に示すように、各踏み板30は、上段側の端部が、上段側の蹴込み板20の下部に固定されているとともに、下段側の端部が、下段側の蹴込み板20の上部に固定されている。
より具体的には、図３ないし図６に示すように、本実施の形態では、各蹴込み板20の前面下部に、左右方向に延びる横長溝21が形成されている。また、本実施の形態では、横長溝21の幅は２０ｍｍであり、また、横長溝21の長さは８４０ｍｍであり、また、横長溝21の深さは１５ｍｍである。また、図５及び図７に示すように、本実施の形態では、各踏み板30の奥側の端部に、奥方向へ向けて突出し、かつ、左右方向に延び、かつ、横長溝21にすっぽり嵌る筋状突部31が形成されている。また、本実施の形態では、筋状突部31の厚さは２０ｍｍであり、また、筋状突部31の長さは８４０ｍｍであり、また、筋状突部31の奥行きは１５ｍｍである。これにより、筋状突部31は横長溝21にすっぽり嵌る。そして、本実施の形態では、図５及び図６に示すように、筋状突部31を横長溝21に嵌め込み、この状態で、図７に示すように、蹴込み板20の下面側から筋状突部31を上下に貫くようにしてビス40を打ち込む。このようにして、本実施の形態では、踏み板30の上段側の端部と上段側の蹴込み板20の下部とが固定されている。なお、図７は、踏み板30の上段側の端部と上段側の蹴込み板20の下部とがビス40で固定される位置における、踏み板30及び蹴込み板20の側断面図である。図７に示すように、本実施の形態では、蹴込み板20の下部には、ビス40を通すためのビス孔22とビス40の頭を収めるための凹部23とがあらかじめ形成してある。
【００２９】
また、図３ないし図６に示すように、本実施の形態では、各蹴込み板20には、その上面から上方へ向けて突出する２つのダボ24が設けられている。また、図５及び図６に示すように、本実施の形態では、各踏み板30には、その下面手前側に２つの位置決め穴32が設けられている。また、２つの位置決め穴32は、２つのダボ24に対応する位置に設けられている。より具体的には、２つの位置決め穴32は、踏み板30の左側面の位置と蹴込み板20の左側面の位置とを合わせ、かつ、踏み板30の前面の位置と蹴込み板20の前面の位置とを合わせたときに、２つのダボ24がぴったりと嵌る位置に設けられている。これにより、各位置決め穴32に各ダボ24をそれぞれ嵌合させると、踏み板30の左側面の位置と蹴込み板20の左側面の位置とがぴったりと合い、かつ、踏み板30の前面の位置と蹴込み板20の前面の位置とがぴったりと合うようになっている。なお、図８は、ダボ24及び位置決め穴32が設けられている位置における、踏み板30及び蹴込み板20の側断面図であり、ダボ24が位置決め穴32に嵌合したときの様子を示している。
【００３０】
また、上述したように、本実施の形態では、踏み板30の左側面の位置と蹴込み板20の左側面の位置とを合わせ、かつ、踏み板30の前面の位置と蹴込み板20の前面の位置とを合わせて、踏み板30の下段側の端部が下段側の蹴込み板20の上面に載置される。そして、図９に示すように、この状態で、踏み板30の上面側から蹴込み板20へ向けてビス40が打ち込まれる。このようにして、本実施の形態では、踏み板30の下段側の端部と下段側の蹴込み板20の上部とが固定されている。なお、図９は、踏み板30の下段側の端部と下段側の蹴込み板20の上部とがビス40で固定される位置における、踏み板30及び蹴込み板20の側断面図である。また、図５、図６及び図９に示すように、本実施の形態では、踏み板30の上面手前側には、左右方向に延びるノンスリップ溝33が形成され、このノンスリップ溝33内に、ビス40を通すためのビス孔34と、ビス40の頭を収めるための凹部35とがあらかじめ形成してある。本実施の形態では、ノンスリップ溝33の幅は１０ｍｍであり、また、ノンスリップ溝33の長さは８４０ｍｍであり、また、ノンスリップ溝33の深さは３ｍｍである。更に、図５、図６及び図９に示すように、本実施の形態では、ノンスリップ溝33にぴったり嵌る隠し板50を用いており、踏み板30の下段側の端部と下段側の蹴込み板20の上部とをビス40で固定した後に、ノンスリップ溝33に隠し板50を嵌め込むことにより、ビス40頭を隠すようにしている。なお、本実施の形態では、隠し板50は、厚さ２ｍｍの板材を用いて形成されている。このため、ノンスリップ溝33に隠し板50を嵌め込むと、ノンスリップ溝33の深さは１ｍｍとなる。
【００３１】
（施工方法）
以下、本実施の形態に係る階段の施工方法について説明する。
ここで、支持柱10の上下の端部に設けたホゾと土台100の上面や梁120の下面に設けたホゾ穴との嵌合によって各支持柱10と土台100や梁120との固定を行う場合には、下記のように施工することができる。
まず、各支持柱10に各蹴込み板20をそれぞれ固定する。
次に、蹴込み板20を固定した各支持柱10を、土台100の上面上に並べて立設する。
次に、各支持柱10の上端上に梁120を載せる。
【００３２】
次に、隣り合う２つの蹴込み板20の間にそれぞれ踏み板30を固定する。
つまり、先に土台100の上面上に複数の支持柱10を立設し、その後に各支持柱10の上端上に梁120を載せるようにして施工することができる。
また、土台100の上面や梁120の下面に支持柱10の端部がすっぽり嵌る切り欠きを設け、この切り欠きに支持柱10の上下の端部を嵌め込むことによって各支持柱10と土台100や梁120との固定を行う場合には、下記のように施工することができる。
まず、建物の軸組みを組み立てる。これにより、土台100、柱110、及び梁120などを所定位置に設置する。
【００３３】
また、建物の軸組みの組み立てとは別に、各支持柱10に各蹴込み板20をそれぞれ固定する。
次に、蹴込み板20を固定した支持柱10を、土台100と梁120との間に並べて立設する。土台100の上面や梁120の下面に切り欠きが設けられているので、支持柱10を縦にした状態のまま水平方向にスライドさせるようにして土台100と梁120との間に挿入することができる。
次に、隣り合う２つの蹴込み板20の間にそれぞれ踏み板30を固定する。
つまり、先に建物の軸組みを組み立てて土台100の上方に土台100と平行に梁120を架け渡し、その後に土台100と梁120との間に複数の支持柱10を並べて立設するようにして施工することができる。また、このようにして施工すると、上述した場合と比較して、建物の軸組みが容易である。
【００３４】
（作用効果）
このように、本実施の形態に係る階段では、各蹴込み板20は、片側のみで支持され、また、各踏み板30は、手前側及び奥側の両端が、隣り合う２つの蹴込み板20で支持されている。このため、本実施の形態に係る階段では、各踏み板30の左右の両端を支持するためのささら桁や階段室などが不要である。したがって、本実施の形態に係る階段は、住宅を広く感じさせる。
また、本実施の形態に係る階段では、踏み板30を支持柱10に片持ち支持させるのではなく、上下の高さが踏み板30よりもはるかに大きい蹴込み板20を支持柱10に片持ち支持させている。更に、本実施の形態に係る階段では、１つの踏み板30にかかる荷重が、２つの蹴込み板20及び支持柱10に分散してかかる。このため、本実施の形態に係る階段は、片持ち式であるものの、高い強度を発揮する。
【００３５】
また、本実施の形態に係る階段では、各蹴込み板20の一方の端部付近が各支持柱10に設けた貫通孔11に挿入された状態で、各蹴込み板20が各支持柱10に固定されている。このため、本実施の形態に係る階段は、片持ち式であるものの、高い強度を発揮する。
（他の実施の形態）
図示しないが、例えば、土台100と梁120との間に、土台100及び梁120と平行な中間梁を設け、中間梁よりも下方の段に用いる支持柱10については、土台100と中間梁との間に、踏み面の寸法とほぼ等しい間隔で並べて立設し、中間梁よりも上方の段に用いる支持柱10については、中間梁と梁120との間に、踏み面の寸法とほぼ等しい間隔で並べて立設する。また、各支持柱10にはそれぞれ片持ち状態で蹴込み板20を固定する。また、蹴込み板20の支持柱10への固定位置は、上段側のものになるにしたがって蹴上げの寸法とほぼ等しい高さずつ高くなるようにする。そして、隣り合う２つの蹴込み板20の間にそれぞれ踏み板30を固定する。各踏み板30は、その下段側の端部を下段側の蹴込み板20の上部に固定されるとともに、その上段側の端部を上段側の蹴込み板20の下部に固定される。
【００３６】
このようにすると、中間梁の分だけ材料が増えるものの、各支持柱10の長さを短くできる分だけ材料を節約できる。このため、階段全体としては、材料を少なくすることができる。
なお、中間梁は、１本に限られず、複数本としてもよい。例えば、土台100と梁120との間に、下から順に、第１中間梁と第２中間梁とを設けることができる。そして、第１中間梁よりも下方の段に用いる支持柱10については、土台100と第１中間梁との間に並べて立設し、また、第１中間梁よりも上方かつ第２中間梁よりも下方の段については、第１中間梁と第２中間梁との間に並べて立設し、また、第２中間梁よりも上方の段については、第２中間梁と梁120との間に並べて立設することができる。
【図面の簡単な説明】
【００３７】
【図１】本発明の実施の形態に係る階段の斜視図。
【図２】本発明の実施の形態に係る階段の側面図。
【図３】本発明の実施の形態に係る階段の支持柱及び蹴込み板の分解斜視図。
【図４】本発明の実施の形態に係る階段の支持柱及び蹴込み板を組んだ状態の斜視図。
【図５】本発明の実施の形態に係る階段の支持柱、蹴込み板及び踏み板の分解斜視図。
【図６】本発明の実施の形態に係る階段の支持柱、蹴込み板及び踏み板を組んだ状態の斜視図。
【図７】本発明の実施の形態に係る階段における蹴込み板の下部と踏み板の奥側の端部との固定方法を示す断面図。
【図８】本発明の実施の形態に係る階段における蹴込み板の上部と踏み板の手前側の端部との固定方法を示す断面図。
【図９】本発明の実施の形態に係る階段における蹴込み板の上部と踏み板の手前側の端部との位置決め方法を示す断面図。
【符号の説明】
【００３８】
10  支持柱
11  貫通孔
20  蹴込み板
21  横長溝
22  ビス孔
23  凹部
24  ダボ
30  踏み板
31  筋状突部
32  位置決め穴
33  ノンスリップ溝
34  ビス孔
35  凹部
40  ビス
50  隠し板
100  土台
110  柱
120  梁
130  床下地材
140  床仕上材
【図１】
2006132083.tif 000003
【図２】
2006132083.tif 000004
【図３】
2006132083.tif 000005
【図４】
2006132083.tif 000006
【図５】
2006132083.tif 000007
【図６】
2006132083.tif 000008
【図７】
2006132083.tif 000009
【図８】
2006132083.tif 000010
【図９】
2006132083.tif 000011